(57)【特許請求の範囲】
【請求項１】
属性と、身体画像情報と、属性ごとの身体機能情報とを記憶する記憶手段と、
前記属性を選択する選択手段と、
ユーザの動作を感知する感知手段と、
前記感知したユーザの動作情報を、前記選択された属性の身体機能情報に基づいて補正する補正手段と、
前記身体画像情報から、バーチャルリアリティ画像を生成する生成手段と、
前記補正された動作情報に基づいて、前記生成されたバーチャルリアリティ画像の動きを制御する制御手段と、
前記制御されたバーチャルリアリティ画像を表示する表示手段とを含み、
さらに、前記感知したユーザの動作情報と、前記身体機能情報に基づいて補正された動作情報に基づいて制御されたバーチャルリアリティ画像の動きとが一致しない場合、アラートを出力するアラート出力手段を含むことを特徴とするバーチャルリアリティ画像表示システム。
【請求項２】
属性と、属性ごとの身体画像情報と、前記身体画像に関連付けた身体機能情報とを記憶する記憶手段と、
前記属性を選択する選択手段と、
ユーザの動作を感知する感知手段と、
前記感知したユーザの動作情報を、前記選択された属性の身体機能情報に基づいて補正する補正手段と、
前記補正された動作情報に基づいて、前記選択された属性の身体画像情報から、バーチャルリアリティ画像を生成する生成手段と、
前記補正された動作情報に基づいて、前記生成されたバーチャルリアリティ画像の動きを制御する制御手段と、
前記制御されたバーチャルリアリティ画像を表示する表示手段とを含み、
さらに、前記感知したユーザの動作情報と、前記身体機能情報に基づいて補正された動作情報に基づいて制御されたバーチャルリアリティ画像の動きとが一致しない場合、アラートを出力するアラート出力手段を含むことを特徴とするバーチャルリアリティ画像表示システム。
【請求項３】
前記身体機能情報が、動作の速さ、可動域の範囲、力の強さ、聴力、および視力からなる群から選択された少なくとも１つの情報である、請求項１または２に記載のバーチャルリアリティ画像表示システム。
【請求項４】
前記属性が、年齢、性別、身長、障害の有無、および障害の種類からなる群から選択された少なくとも１つの属性である、請求項１から３のいずれか一項に記載のバーチャルリアリティ画像表示システム。
【請求項５】
さらに、音声出力手段を含み、
前記音声出力手段は、前記選択された属性の聴力情報に基づいて、音声を出力する、請求項１から４のいずれか一項に記載のバーチャルリアリティ画像表示システム。
【請求項６】
属性を選択する選択工程と、
ユーザの動作を感知する感知工程と、
前記感知したユーザの動作情報を、選択された属性の身体機能情報に基づいて補正する補正工程と、
身体画像情報から、バーチャルリアリティ画像を生成する生成工程と、
前記補正された動作情報に基づいて、前記生成されたバーチャルリアリティ画像の動きを制御する制御工程と、
前記制御されたバーチャルリアリティ画像を表示する表示工程とを含み、
さらに、前記感知したユーザの動作情報と、前記身体機能情報に基づいて補正された動作情報に基づいて制御されたバーチャルリアリティ画像の動きとが一致しない場合、アラートを出力するアラート出力工程を含むことを特徴とするバーチャルリアリティ画像表示方法。
【請求項７】
請求項６記載の表示方法をコンピュータ上で実行可能なことを特徴とする、プログラム。
【請求項８】
請求項７記載のプログラムを記録していることを特徴とする、コンピュータ読み取り可能な記録媒体。

【発明の詳細な説明】
【技術分野】
【０００１】
本発明は、バーチャルリアリティ画像表示システムおよびバーチャルリアリティ画像表示方法に関する。
【背景技術】
【０００２】
近年、可視化した仮想空間において、ユーザの動作に連動させた画像を表示することによって、ユーザに仮想空間を疑似体験させるバーチャルリアリティ（以下、ＶＲともいう）システムの開発が盛んに行われている。前記ＶＲシステムは、通常、ユーザがセンサ付きゴーグルを装着すると、前記ゴーグルのモニターに仮想空間が表示され、前記ユーザの動作を前記センサが感知して、前記仮想空間に前記ユーザの動きに応じた画像が表示される。
【発明の概要】
【発明が解決しようとする課題】
【０００３】
しかしながら、従来のＶＲシステムによると、仮想空間内に表示される画像は、同じデザインの画像であり、また、前記画像の動きは、前記ユーザ自身の動作に直接的に連動するものである。このため、ユーザは、ユーザ自身の元来の感覚に基づく仮想空間の疑似体験しかできなかった。【０００４】
そこで、本発明は、ユーザが、ユーザ自身とは異なる属性の感覚に基づいて仮想空間を疑似体験することを可能とするＶＲ画像表示システムの提供を目的とする。
【課題を解決するための手段】
【０００５】
前記目的を達成するために、本発明の第１のＶＲ画像表示システムは、
属性と、属性ごとの身体画像情報とを記憶する記憶手段と、
前記属性を選択する選択手段と、
ユーザの動作を感知する感知手段と、
前記選択された属性の身体画像情報から、バーチャルリアリティ画像を生成する生成手段と、
前記感知したユーザの動作情報に基づいて、前記生成されたバーチャルリアリティ画像の動きを制御する制御手段と、
前記制御されたバーチャルリアリティ画像を表示する表示手段とを含むことを特徴とする。【０００６】
本発明の第２のＶＲ画像表示システムは、
属性と、身体画像情報と、属性ごとの身体機能情報とを記憶する記憶手段と、
前記属性を選択する選択手段と、
ユーザの動作を感知する感知手段と、
前記感知したユーザの動作情報を、前記選択された属性の身体機能情報に基づいて補正する補正手段と、
前記身体画像情報から、バーチャルリアリティ画像を生成する生成手段と、
前記補正された動作情報に基づいて、前記生成されたバーチャルリアリティ画像の動きを制御する制御手段と、
前記制御されたバーチャルリアリティ画像を表示する表示手段とを含むことを特徴とする。【０００７】
本発明の第３のＶＲ画像表示システムは、
属性と、属性ごとの身体画像情報と、前記身体画像に関連付けた身体機能情報とを記憶する記憶手段と、
前記属性を選択する選択手段と、
ユーザの動作を感知する感知手段と、
前記感知したユーザの動作情報を、前記選択された属性の身体機能情報に基づいて補正する補正手段と、
前記補正された動作情報に基づいて、前記選択された属性の身体画像情報から、バーチャルリアリティ画像を生成する生成手段と、
前記補正された動作情報に基づいて、前記生成されたバーチャルリアリティ画像の動きを制御する制御手段と、
前記制御されたＶＲ画像を表示する表示手段とを含むことを特徴とする。【０００８】
本発明の第１のＶＲ画像表示方法は、
属性を選択する選択工程と、
ユーザの動作を感知する感知工程と、
選択された属性の身体画像情報から、バーチャルリアリティ画像を生成する生成工程と、
前記感知したユーザの動作情報に基づいて、前記生成されたバーチャルリアリティ画像の動きを制御する制御工程と、
前記制御されたバーチャルリアリティ画像を表示する表示工程とを含むことを特徴とする。【０００９】
本発明の第２のＶＲ画像表示方法は、
属性を選択する選択工程と、
ユーザの動作を感知する感知工程と、
前記感知したユーザの動作情報を、選択された属性の身体機能情報に基づいて補正する補正工程と、
身体画像情報から、バーチャルリアリティ画像を生成する生成工程と、
前記補正された動作情報に基づいて、前記生成されたバーチャルリアリティ画像の動きを制御する制御工程と、
前記制御されたバーチャルリアリティ画像を表示する表示工程とを含むことを特徴とする。【００１０】
本発明の第３のＶＲ画像表示方法は、
属性を選択する選択工程と、
ユーザの動作を感知する感知工程と、
前記感知したユーザの動作情報を、選択された属性の身体機能情報に基づいて補正する補正工程と、
前記補正された動作情報に基づいて、選択された属性の身体画像情報から、バーチャルリアリティ画像を生成する生成工程と、
前記補正された動作情報に基づいて、前記生成されたバーチャルリアリティ画像の動きを制御する制御工程と、
前記制御されたＶＲ画像を表示する表示工程とを含むことを特徴とする。【００１１】
本発明のプログラムは、前記本発明のＶＲ画像表示方法をコンピュータ上で実行可能なことを特徴とする。【００１２】
本発明のコンピュータ読み取り可能な記録媒体は、前記本発明のプログラムを記録していることを特徴とする。
【発明の効果】
【００１３】
本発明によれば、ユーザが、ユーザ自身とは異なる属性の感覚に基づいて仮想空間を疑似体験することが可能である。
【図面の簡単な説明】
【００１４】
【図１】図１は、実施形態２および３のＶＲ画像表示システムの一例を示すブロック図である。
【図２】図２は、実施形態２および３のＶＲ画像表示方法のフローチャートである。
【発明を実施するための形態】
【００１５】
本発明のＶＲ画像表示システムは、例えば、前記属性が、年齢、性別、身長、障害の有無、および障害の種類からなる群から選択された少なくとも１つの属性である。
【００１６】
本発明のＶＲ画像表示システムは、例えば、前記身体機能情報が、動作の早さ、可動域の範囲、力の強さ、聴力、および視力からなる群から選択された少なくとも１つの情報である。
【００１７】
本発明のＶＲ画像表示システムは、例えば、さらに、音声出力手段を含み、前記音声出力手段は、前記選択された属性の聴力情報に基づいて、音声を出力する。
【００１８】
本発明のＶＲ画像表示方法は、例えば、前記属性が、年齢、性別、身長、障害の有無、および障害の種類からなる群から選択された少なくとも１つの属性である。
【００１９】
本発明のＶＲ画像表示方法は、例えば、前記身体機能情報が、動作の早さ、可動域の範囲、および力の強さからなる群から選択された少なくとも１つの情報である。
【００２０】
本発明のＶＲ画像表示方法は、例えば、さらに、音声出力工程を含み、
前記音声出力工程は、前記選択された属性の聴力情報に基づいて、音声を出力する。
【００２１】
つぎに、本発明の実施形態について説明する。なお、本発明は、下記の実施形態によって何ら限定および制限されない。なお、以下の図１および図２において、同一部分には、同一符号を付している。また、各実施形態の説明は、特に言及がない限り、互いの説明を援用できる。さらに、各実施形態の構成は、特に言及がない限り、組合せ可能である。以下、選択した属性の身体画像情報に基づくＶＲ画像の生成、選択した属性の身体機能情報に基づくＶＲ画像の動きの制御は、ユーザとは異なる属性に基づくことから、「ペルソナ化」ともいう。
【００２２】
［実施形態１］
実施形態１は、本発明の第１のＶＲ画像表示システムおよびＶＲ画像表示方法に関する。
【００２３】
本実施形態のＶＲ画像表示システムは、記憶手段、選択手段、生成手段、制御手段、感知手段、および表示手段を含む。
【００２４】
ＶＲ画像表示システムは、例えば、全ての手段が一体化して装置（例えば、ＶＲ画像表示装置ともいう）に搭載されてもよいし、いずれかの手段が分離してもよい。具体例として、記憶手段、選択手段、生成手段、および制御手段を備える本体と、端末とを備え、両者が電気的に接続された形態があげられる。ＶＲ画像表示システムは、例えば、前記端末と前記本体とが、通信回線網を介して連結されてもよい。
【００２５】
前記感知手段および前記表示手段は、例えば、前記端末に組み込まれてもよい。前記端末は、例えば、ユーザが装着できる端末であり、ヘッドマウントディスプレイ、ＶＲゴーグル等があげられる。前記端末において、前記感知手段は、例えば、モーションセンサである。前記端末は、さらに、スピーカー等の音声出力手段を含んでもよい。
【００２６】
前記記憶手段およびデータ処理手段は、例えば、前記本体に組み込まれてもよい。前記選択手段、前記生成手段、および前記制御手段は、例えば、ハードウェアである前記データ処理手段に組み込まれてもよく、ソフトウェアまたは前記ソフトウェアが組み込まれたハードウェアでもよい。前記データ処理手段は、中央演算装置（ＣＰＵ）等を備えてもよい。
【００２７】
前記ＶＲ画像表示システムにおいて、前記記憶手段は、前記選択手段に電気的に接続され、前記選択手段は、前記生成手段に電気的に接続され、前記制御手段は、前記生成手段および前記感知手段に電気的に接続され、前記表示手段は、前記制御手段に電気的に接続されている。
【００２８】
前記ＶＲ画像表示システムにより表示されるＶＲ画像は、例えば、仮想空間に表示される身体のＶＲ画像であり、具体的には、ユーザの眼から見えると想定される身体のＶＲ画像である。
【００２９】
前記記憶手段は、属性と、属性ごとの身体画像情報とを記憶する。記憶手段は、例えば、ランダムアクセスメモリ（ＲＡＭ）、読み出し専用メモリ（ＲＯＭ）、フラッシュメモリー、ハードディスク（ＨＤ）、光ディスク、フロッピー（登録商標）ディスク（ＦＤ）等があげられる。記憶手段は、例えば、装置内蔵型でもよいし、外部記憶装置のような外付け型であってもよい。
【００３０】
前記属性の対象は、例えば、人である。前記属性は、例えば、年齢、性別、身長、障害の有無、障害の種類等があげられる。年齢は、例えば、具体的な年齢層の分類でもよいし、幼児、子供、大人、老人等のカテゴリーの分類でもよい。性別は、例えば、男性、女性である。身長は、例えば、具体的な数値による分類でもよいし、数値範囲による分類でもよい。障害は、特に制限されず、例えば、下半身の障害、上半身の障害等があげられる。
【００３１】
前記属性ごとの身体画像情報とは、前記属性に該当する身体画像情報である。前記身体画像情報とは、例えば、身体画像そのものでもよいし、身体画像を生成するための情報であってもよい。対象となる身体は、特に制限されず、例えば、人間が自分の視界において視認できる自分自身の身体部位があげられ、具体例としては、手、腕、肩、胸、腹等の上半身、足等の下半身等があげられる。
【００３２】
前記感知手段は、ユーザの動作を感知する。前記感知手段は、例えば、モーションセンサ等のセンサがあげられる。ヘッドマウントディスプレイ等の前記端末をユーザが装着することで、前記端末のセンサにより、前記端末を装着したユーザの動作が感知される。
【００３３】
前記記憶手段に記憶される属性の数は、特に制限されず、１つでもよいが、２つ以上の複数であることが好ましい。前記ＶＲ画像表示システムでは、後述するように、ユーザが選択した属性に応じたＶＲ画像が表示できることから、複数の属性を記憶させることで、例えば、多種多様なＶＲ画像の設定が可能になる。
【００３４】
前記選択手段は、生成するＶＲ画像の属性を選択する。具体的には、前記記憶手段に記憶された属性から、生成するＶＲ画像の属性を選択する。前記選択手段は、例えば、ＣＰＵ等があげられる。前記ＶＲ画像表示システムにおいて、例えば、前記本体は、さらに、表示手段および入力手段を有してもよい。この場合、前記表示手段に、前記記憶手段に記憶された属性が表示され、前記入力手段により、選択する属性が入力されてもよい。前記表示手段は、例えば、タッチパネル等のモニターがあげられ、前記入力手段は、例えば、キーボード、マウス、タッチパネル等があげられる。
【００３５】
前記生成手段は、前記選択された属性の身体画像情報からＶＲ画像を生成する。前記生成手段は、例えば、ＣＰＵ等があげられる。
【００３６】
前記制御手段は、前記感知したユーザの動作情報に基づいて、前記生成されたＶＲ画像の動きを制御する。前記制御手段は、例えば、ＣＰＵ等があげられる。
【００３７】
前記表示手段は、前記制御されたＶＲ画像を表示する。前記表示手段は、例えば、ヘッドマウントディスプレイ等のディスプレイがあげられる。
【００３８】
つぎに、本実施形態におけるＶＲ画像表示方法のフローチャートを示す。本実施形態のＶＲ画像表示方法は、例えば、前記本実施形態の表示システムを用いて、つぎのように実施する。本実施形態の表示方法は、Ａ１ステップ（属性選択）、Ａ２ステップ（ユーザの動作の感知）、Ａ３ステップ（ＶＲ画像の生成）、Ａ４ステップ（ＶＲ画像の制御）、およびＡ５ステップ（ＶＲ画像の表示）を含む。本実施形態のＶＲ画像表示方法は、前記Ａ１ステップ、前記Ａ２ステップ、前記Ａ３ステップ、前記Ａ４ステップ、および前記Ａ５ステップをこの順序で実施しているが、本発明の第１のＶＲ画像表示方法は、この順序に制限されず、例えば、前記Ａ２ステップ〜前記Ａ５ステップを、例えば、並行して実施してもよい。
【００３９】
（Ａ１）属性の選択
前記Ａ１ステップでは、前記記憶手段に記憶された属性を選択する。前記属性の選択により、選択した前記属性の身体画像情報を取得する。
【００４０】
（Ａ２）ユーザの動作の感知
前記Ａ２ステップでは、ユーザの動作を感知する。前記Ａ２ステップでは、例えば、ユーザが前記感知手段を備えた端末を装着することで、ユーザの動作を感知し、動作情報を取得する。
【００４１】
（Ａ３）ＶＲ画像の生成
前記Ａ３ステップでは、前記選択された属性の身体画像情報に基づいて、前記選択された属性のＶＲ画像を生成する。
【００４２】
（Ａ４）ＶＲ画像の制御
前記Ａ４ステップでは、前記感知されたユーザの動作情報に基づいて、前記生成されたＶＲ画像の動きを制御する。
【００４３】
（Ａ５）ＶＲ画像の表示
前記Ａ５ステップでは、前記制御されたＶＲ画像を表示する。そして、ユーザが動いている間、前記（Ａ２）〜（Ａ５）を繰り返し行い、終了する。
【００４４】
以下に、本実施形態の表示システムおよび表示方法について、ユーザが大人であり、属性として子供を選択する場合を例にあげて説明する。なお、本発明は、これには制限されない。
【００４５】
前記Ａ１ステップで、属性として子供を選択する。この選択により、子供の身体画像情報を取得する。前記身体画像情報は、例えば、ＶＲ画像を生成するための情報であり、具体例として、子供の小さい手、小さい足等の情報である。
【００４６】
つぎに、前記Ａ２ステップでは、大人ユーザの動作を感知する。前記ユーザは、例えば、前述のように、センサ付きヘッドマウントディスプレイ等の端末を装着した状態で動作する。
【００４７】
そして、前記Ａ３ステップでは、前記選択された子供の身体画像情報から、ＶＲ画像を生成する。この場合、例えば、子供の身体画像情報から、小さい手のＶＲ画像を生成する。
【００４８】
さらに、前記Ａ４ステップでは、前記大人ユーザの動作情報に基づいて、前記生成されたＶＲ画像の動きを制御する。
【００４９】
そして、前記Ａ５ステップでは、前記制御されたＶＲ画像が表示される。つまり、実際の大人ユーザの身体とは異なり、子供の身体画像が表示される。
【００５０】
このように、本発明のＶＲ画像表示システムによれば、例えば、実際のユーザが大人であっても、仮想空間に表示されるＶＲ画像は、ユーザ自身が認識している身体画像とは異なり、サイズの小さな子供の身体画像が表示される。このため、ユーザは、自分とは異なる属性の身体を、仮想空間において、疑似体験することができる。
【００５１】
［実施形態２］
実施形態２は、本発明の第２のＶＲ画像表示システムおよびＶＲ画像表示方法に関する。
【００５２】
図１に、本実施形態におけるＶＲ画像表示システムのブロック図を示す。図１に示すように、本実施形態のＶＲ画像表示システム１は、記憶手段１１、選択手段１２１、補正手段１２２、生成手段１２３、制御手段１２４、感知手段１０１、および表示手段１０２を含む。
【００５３】
ＶＲ画像表示システム１は、例えば、全ての手段が一体化して装置（例えば、ＶＲ画像表示装置ともいう）に搭載されてもよいし、いずれかの手段が分離してもよい。図１には、記憶手段１１、選択手段１２１、補正手段１２２、生成手段１２３、および制御手段１２４を備える本体２０と、端末１０とを備え、両者が電気的に接続された形態を例示する。ＶＲ画像表示システム１は、例えば、端末１０と本体２０とが、通信回線網を介して連結されてもよい。
【００５４】
感知手段１０１および表示手段１０２は、例えば、端末１０に組み込まれてもよい。端末１０は、例えば、ユーザが装着できる端末であり、ヘッドマウントディスプレイ、ＶＲゴーグル等があげられる。端末１０において、感知手段１０１は、例えば、モーションセンサである。端末１０は、さらに、スピーカー等の音声出力手段を含んでもよい。
【００５５】
記憶手段１１およびデータ処理手段１２は、例えば、本体２０に組み込まれてもよい。選択手段１２１、補正手段１２２、生成手段１２３、および制御手段１２４は、例えば、ハードウェアであるデータ処理手段１２に組み込まれてもよく、ソフトウェアまたは前記ソフトウェアが組み込まれたハードウェアでもよい。データ処理手段１２は、中央演算装置（ＣＰＵ）等を備えてもよい。
【００５６】
ＶＲ画像表示システム１において、記憶手段１１は、選択手段１２１に電気的に接続され、補正手段１２２は、選択手段１２１、感知手段１０１、生成手段１２３、および制御手段１２４に電気的に接続され、生成手段１２３は、制御手段１２４に電気的に接続され、表示手段１０２は、制御手段１２４に電気的に接続されている。
【００５７】
ＶＲ画像表示システム１により表示されるＶＲ画像は、例えば、仮想空間に表示される身体のＶＲ画像であり、具体的には、ユーザの眼から見えると想定される身体のＶＲ画像である。
【００５８】
記憶手段１１は、属性と、身体画像情報と、属性ごとの身体機能情報とを記憶する。記憶手段１１は、例えば、ランダムアクセスメモリ（ＲＡＭ）、読み出し専用メモリ（ＲＯＭ）、フラッシュメモリー、ハードディスク（ＨＤ）、光ディスク、フロッピー（登録商標）ディスク（ＦＤ）等があげられる。記憶手段１１は、例えば、装置内蔵型でもよいし、外部記憶装置のような外付け型であってもよい。
【００５９】
前記属性の対象は、例えば、人である。前記属性は、例えば、年齢、性別、身長、障害の有無、障害の種類等があげられる。年齢は、例えば、具体的な年齢層の分類でもよいし、幼児、子供、大人、老人等のカテゴリーの分類でもよい。性別は、例えば、男性、女性である。身長は、例えば、具体的な数値による分類でもよいし、数値範囲による分類でもよい。障害は、特に制限されず、例えば、下半身の障害、上半身の障害等があげられる。
【００６０】
前記身体画像情報とは、例えば、身体画像そのものでもよいし、身体画像を生成するための情報であってもよい。対象となる身体は、特に制限されず、例えば、人間が自分の視界において視認できる自分自身の身体部位があげられ、具体例としては、手、腕、肩、胸、腹等の上半身、足等の下半身等があげられる。
【００６１】
前記属性ごとの身体機能情報とは、前記属性に該当する身体機能情報である。前記身体機能情報とは、動作の早さ、可動域の範囲、力の強さ、聴力、視力等があげられる。
【００６２】
感知手段１０１は、ユーザの動作を感知する。感知手段１０１は、例えば、モーションセンサ等のセンサがあげられる。ヘッドマウントディスプレイ等の端末１０をユーザが装着することで、端末１０のセンサにより、端末１０を装着したユーザの動作が感知される。
【００６３】
記憶手段１１に記憶される属性の数は、特に制限されず、１つでもよいが、２つ以上の複数であることが好ましい。ＶＲ画像表示システム１では、後述するように、ユーザが選択した属性に応じたＶＲ画像が表示できることから、複数の属性を記憶させることで、例えば、多種多様なＶＲ画像の設定が可能になる。
【００６４】
選択手段１２１は、生成するＶＲ画像の動きを設定するための属性を選択する。具体的には、記憶手段１１に記憶された属性から、生成するＶＲ画像の動きを設定するための属性を選択する。選択手段１２１は、例えば、ＣＰＵ等があげられる。ＶＲ画像表示システム１において、例えば、本体２０は、さらに、表示手段および入力手段を有してもよい。この場合、前記表示手段に、記憶手段１１に記憶された属性が表示され、前記入力手段により、選択する属性が入力されてもよい。前記表示手段は、例えば、タッチパネル等のモニターがあげられ、前記入力手段は、例えば、キーボード、マウス、タッチパネル等があげられる。
【００６５】
補正手段１２２は、感知手段１０１により感知したユーザの動作情報を、前記選択された属性の身体機能情報に基づいて補正する。補正手段１２２は、例えば、ＣＰＵ等があげられる。
【００６６】
生成手段１２３は、前記身体画像情報からからＶＲ画像を生成する。生成手段１２３は、例えば、ＣＰＵ等があげられる。
【００６７】
制御手段１２４は、前記補正された動作情報に基づいて、前記生成されたＶＲ画像の動きを制御する。制御手段１２４は、例えば、ＣＰＵ等があげられる。
【００６８】
表示手段１０２は、前記制御されたＶＲ画像を表示する。表示手段１０２は、例えば、ヘッドマウントディスプレイ等のディスプレイがあげられる。
【００６９】
つぎに、本実施形態におけるＶＲ画像表示方法のフローチャートを、図２に示す。本実施形態のＶＲ画像表示方法は、例えば、図１の表示システムを用いて、つぎのように実施する。本実施形態の表示方法は、Ａ１ステップ（属性選択）、Ａ２ステップ（ユーザの動作の感知）、Ａ３ステップ（ユーザの動作情報の補正）、Ａ４ステップ（ＶＲ画像の生成）、Ａ５ステップ（ＶＲ画像の制御）、およびＡ６ステップ（ＶＲ画像の表示）を含む。本実施形態のＶＲ画像表示方法は、前記Ａ１ステップ、前記Ａ２ステップ、前記Ａ３ステップ、前記Ａ４ステップ、前記Ａ５ステップ、および前記Ａ６ステップをこの順序で実施しているが、本発明のＶＲ画像表示方法は、この順序に制限されず、例えば、前記Ａ２ステップ〜前記Ａ６ステップを、例えば、並行して実施してもよい。
【００７０】
（Ａ１）属性の選択
前記Ａ１ステップでは、前記記憶手段に記憶された属性を選択する。前記属性の選択により、選択した前記属性の身体機能情報を取得する。
【００７１】
（Ａ２）ユーザの動作の感知
前記Ａ２ステップでは、ユーザの動作を感知する。前記Ａ２ステップでは、例えば、ユーザが前記感知手段を備えた端末を装着することで、ユーザの動作を感知し、動作情報を取得する。
【００７２】
（Ａ３）ユーザの動作情報の補正
前記Ａ３ステップでは、前記感知したユーザの動作情報を、前記選択された属性の身体機能情報に基づいて補正する。
【００７３】
（Ａ４）ＶＲ画像の生成
前記Ａ４ステップでは、前記記憶手段に記憶された身体画像情報に基づいて、ＶＲ画像を生成する。
【００７４】
（Ａ５）ＶＲ画像の制御
前記Ａ５ステップでは、前記補正された動作情報に基づいて、前記生成されたＶＲ画像の動きを制御する。
【００７５】
（Ａ６）ＶＲ画像の表示
前記Ａ６ステップでは、前記制御されたＶＲ画像を表示する。そして、ユーザが動いている間、前記（Ａ２）〜（Ａ６）を繰り返し行い、終了する。
【００７６】
以下に、本実施形態の表示システムおよび表示方法について、ユーザが男性であり、属性として女性を選択する場合を例にあげて説明する。なお、本発明は、これには制限されない。
【００７７】
前記Ａ１ステップで、属性として女性を選択する。この選択により、女性の身体機能情報を取得する。前記身体機能情報は、例えば、力が弱い等の情報である。
【００７８】
つぎに、前記Ａ２ステップでは、男性ユーザの動作を感知する。前記ユーザは、例えば、前述のように、センサ付きヘッドマウントディスプレイ等の端末を装着した状態で動作する。
【００７９】
そして、前記Ａ３ステップでは、前記感知した男性ユーザの動作情報を、前記選択された女性の身体機能情報に基づいて補正する。この場合、実際の男性ユーザの動作を示す動作情報と、前記女性の身体機能情報とを比較し、例えば、前記男性ユーザの力が強いという動作情報を、前記女性の力が弱いという身体機能情報に基づいて、力が弱いという動作情報に補正する。
【００８０】
つぎに、前記Ａ４ステップでは、前記身体画像情報から、ＶＲ画像を生成する。
【００８１】
さらに、前記Ａ５ステップでは、前記補正された動作情報に基づいて、前記生成されたＶＲ画像の動きを制御する。この場合、実際の男性ユーザの動作は力が強い動作であるが、前記選択された女性の身体機能情報から、力が弱いという動作情報に補正されているため、前記生成されたＶＲ画像の動きは、実際のユーザの動作とは異なり、力が弱い動作に制御される。
【００８２】
そして、前記Ａ６ステップでは、前記制御されたＶＲ画像が表示される。つまり、実際のユーザの動作とは異なり、身体のＶＲ画像が、力が弱い動きで表示される。具体例としては、男性ユーザが、荷物を持ち上げるという動作を行っても、仮想空間においては、荷物が持ち上がらないという動作の画像が表示される。
【００８３】
このように、本発明のＶＲ画像表示システムによれば、例えば、実際のユーザが男性であり、実際には力が強い動作を行っていても、仮想空間に表示されるＶＲ画像は、ユーザ自身が体感している動きとは異なり、力が弱い動きである。このため、ユーザは、自分とは異なる属性の身体機能を有する人の動きを、仮想空間において、疑似体験することができる。
【００８４】
［実施形態３］
実施形態３は、本発明の第３のＶＲ画像表示システムおよびＶＲ画像表示方法に関する。
【００８５】
本実施形態におけるＶＲ画像表示システムは、前記実施形態２と同様に、図１のブロック図で示すことができる。図１に示すように、本実施形態のＶＲ画像表示システム１は、記憶手段１１、選択手段１２１、補正手段１２２、生成手段１２３、制御手段１２４、感知手段１０１、および表示手段１０２を含む。
【００８６】
ＶＲ画像表示システム１は、例えば、全ての手段が一体化して装置（例えば、ＶＲ画像表示装置ともいう）に搭載されてもよいし、いずれかの手段が分離してもよい。図１には、記憶手段１１、選択手段１２１、補正手段１２２、生成手段１２３、および制御手段１２４を備える本体２０と、端末１０とを備え、両者が電気的に接続された形態を例示する。ＶＲ画像表示システム１は、例えば、端末１０と本体２０とが、通信回線網を介して連結されてもよい。
【００８７】
感知手段１０１および表示手段１０２は、例えば、端末１０に組み込まれてもよい。端末１０は、例えば、ユーザが装着できる端末であり、ヘッドマウントディスプレイ、ＶＲゴーグル等があげられる。端末１０において、感知手段１０１は、例えば、モーションセンサである。端末１０は、さらに、スピーカー等の音声出力手段を含んでもよい。
【００８８】
記憶手段１１およびデータ処理手段１２は、例えば、本体２０に組み込まれてもよい。選択手段１２１、補正手段１２２、生成手段１２３、および制御手段１２４は、例えば、ハードウェアであるデータ処理手段１２に組み込まれてもよく、ソフトウェアまたは前記ソフトウェアが組み込まれたハードウェアでもよい。データ処理手段１２は、中央演算装置（ＣＰＵ）等を備えてもよい。
【００８９】
ＶＲ画像表示システム１において、記憶手段１１は、選択手段１２１に電気的に接続され、補正手段１２２は、選択手段１２１、感知手段１０１、生成手段１２３、および制御手段１２４に電気的に接続され、生成手段１２３は、制御手段１２４に電気的に接続され、表示手段１０２は、制御手段１２４に電気的に接続されている。
【００９０】
ＶＲ画像表示システム１により表示されるＶＲ画像は、例えば、仮想空間に表示される身体のＶＲ画像であり、具体的には、ユーザの眼から見えると想定される身体のＶＲ画像である。
【００９１】
記憶手段１１は、属性ごとの身体画像情報と、前記身体画像に関連付けた身体機能情報とを記憶する。記憶手段１１は、例えば、ランダムアクセスメモリ（ＲＡＭ）、読み出し専用メモリ（ＲＯＭ）、フラッシュメモリー、ハードディスク（ＨＤ）、光ディスク、フロッピー（登録商標）ディスク（ＦＤ）等があげられる。記憶手段１１は、例えば、装置内蔵型でもよいし、外部記憶装置のような外付け型であってもよい。
【００９２】
前記属性の対象は、例えば、人である。前記属性は、例えば、年齢、性別、身長、障害の有無、障害の種類等があげられる。年齢は、例えば、具体的な年齢層の分類でもよいし、幼児、子供、大人、老人等のカテゴリーの分類でもよい。性別は、例えば、男性、女性である。身長は、例えば、具体的な数値による分類でもよいし、数値範囲による分類でもよい。障害は、特に制限されず、例えば、下半身の障害、上半身の障害等があげられる。
【００９３】
前記属性ごとの身体画像情報とは、前記属性に該当する身体画像情報である。前記身体画像情報とは、例えば、身体画像そのものでもよいし、身体画像を生成するための情報であってもよい。対象となる身体は、特に制限されず、例えば、人間が自分の視界において視認できる自分自身の身体部位があげられ、具体例としては、手、腕、肩、胸、腹等の上半身、足等の下半身等があげられる。
【００９４】
前記身体機能情報とは、動作の早さ、可動域の範囲、力の強さ、聴力、視力等があげられる。
【００９５】
感知手段１０１は、ユーザの動作を感知する。感知手段１０１は、例えば、モーションセンサ等のセンサがあげられる。ヘッドマウントディスプレイ等の端末１０をユーザが装着することで、端末１０のセンサにより、端末１０を装着したユーザの動作が感知される。
【００９６】
記憶手段１１に記憶される属性の数は、特に制限されず、１つでもよいが、２つ以上の複数であることが好ましい。ＶＲ画像表示システム１では、後述するように、ユーザが選択した属性に応じたＶＲ画像が表示できることから、複数の属性を記憶させることで、例えば、多種多様なＶＲ画像の設定が可能になる。
【００９７】
選択手段１２１は、生成するＶＲ画像の属性を選択する。具体的には、記憶手段１１に記憶された属性から、生成するＶＲ画像の属性を選択する。選択手段１２１は、例えば、ＣＰＵ等があげられる。ＶＲ画像表示システム１において、例えば、本体２０は、さらに、表示手段および入力手段を有してもよい。この場合、前記表示手段に、前記記憶手段に記憶された属性が表示され、前記入力手段により、選択する属性が入力されてもよい。前記表示手段は、例えば、タッチパネル等のモニターがあげられ、前記入力手段は、例えば、キーボード、マウス、タッチパネル等があげられる。
【００９８】
補正手段１２２は、感知手段１０１により感知したユーザの動作情報を、前記選択された属性の身体機能情報に基づいて補正する。補正手段１２２は、例えば、ＣＰＵ等があげられる。
【００９９】
生成手段１２３は、前記補正された動作情報に基づいて、前記選択された属性の身体画像情報からＶＲ画像を生成する。生成手段１２３は、例えば、ＣＰＵ等があげられる。
【０１００】
制御手段１２４は、前記補正された動作情報に基づいて、前記生成されたＶＲ画像の動きを制御する。制御手段１２４は、例えば、ＣＰＵ等があげられる。
【０１０１】
表示手段１０２は、前記制御されたＶＲ画像を表示する。表示手段１０２は、例えば、ヘッドマウントディスプレイ等のディスプレイがあげられる。
【０１０２】
つぎに、本実施形態におけるＶＲ画像表示方法のフローチャートを、例えば、前記実施形態２と同様に、図２に示す。本実施形態のＶＲ画像表示方法は、例えば、図１の表示システムを用いて、つぎのように実施する。本実施形態の表示方法は、Ａ１ステップ（属性選択）、Ａ２ステップ（ユーザの動作の感知）、Ａ３ステップ（ユーザの動作情報の補正）、Ａ４ステップ（ＶＲ画像の生成）、Ａ５ステップ（ＶＲ画像の制御）、およびＡ６ステップ（ＶＲ画像の表示）を含む。本実施形態のＶＲ画像表示方法は、前記Ａ１ステップ、前記Ａ２ステップ、前記Ａ３ステップ、前記Ａ４ステップ、前記Ａ５ステップ、および前記Ａ６ステップをこの順序で実施しているが、本発明のＶＲ画像表示方法は、この順序に制限されず、例えば、前記Ａ２ステップ〜前記Ａ６ステップを、例えば、並行して実施してもよい。
【０１０３】
（Ａ１）属性の選択
前記Ａ１ステップでは、前記記憶手段に記憶された属性を選択する。前記属性の選択により、選択した前記属性の身体画像情報と、それに関連付けた身体機能情報を取得する。
【０１０４】
（Ａ２）ユーザの動作の感知
前記Ａ２ステップでは、ユーザの動作を感知する。前記Ａ２ステップでは、例えば、ユーザが前記感知手段を備えた端末を装着することで、ユーザの動作を感知し、動作情報を取得する。
【０１０５】
（Ａ３）ユーザの動作情報の補正
前記Ａ３ステップでは、前記感知したユーザの動作情報を、前記選択された属性の身体機能情報に基づいて補正する。
【０１０６】
（Ａ４）ＶＲ画像の生成
前記Ａ４ステップでは、前記補正された動作情報に基づいて、前記選択された属性のＶＲ画像を生成する。
【０１０７】
（Ａ５）ＶＲ画像の制御
前記Ａ５ステップでは、前記補正された動作情報に基づいて、前記生成されたＶＲ画像の動きを制御する。
【０１０８】
（Ａ６）ＶＲ画像の表示
前記Ａ６ステップでは、前記制御されたＶＲ画像を表示する。そして、ユーザが動いている間、前記（Ａ２）〜（Ａ６）を繰り返し行い、終了する。
【０１０９】
以下に、本実施形態の表示システムおよび表示方法について、ユーザが若年層であり、属性として、老年層を選択する場合を例にあげて説明する。なお、本発明は、これには制限されない。
【０１１０】
前記Ａ１ステップで、属性として老年層を選択する。この選択により、老年層の身体画像情報と、老年層の身体機能情報を取得する。前記身体画像情報は、例えば、ＶＲ画像を生成するための情報であり、具体例として、老化により皺の入った手、老化により曲がった足等の情報である。前記身体機能情報は、例えば、動作が遅い、腰が曲がって伸びない、足が曲がって伸びない、足が上がらない、手があがらない、腰をひねることができない、顔があがらない等の情報である。
【０１１１】
つぎに、前記Ａ２ステップでは、若年層ユーザの動作を感知する。前記ユーザは、例えば、前述のように、センサ付きヘッドマウントディスプレイ等の端末を装着した状態で動作する。
【０１１２】
そして、前記Ａ３ステップでは、前記感知した若年層ユーザの動作情報を、前記選択された老年層の身体機能情報に基づいて補正する。この場合、実際の若年層ユーザの動作を示す動作情報と、前記老年層の身体機能情報とを比較し、例えば、前記若年層ユーザの動作が早いという動作情報を、前記老年層の動作が遅いという身体機能情報に基づいて、動作が遅いという動作情報に補正する。
【０１１３】
つぎに、前記Ａ４ステップでは、前記補正された動作情報に基づいて、前記選択された老年層の身体画像情報から、ＶＲ画像を生成する。この場合、例えば、老年層の身体画像情報から、老化により皺の入った手のＶＲ画像を生成する。
【０１１４】
さらに、前記Ａ５ステップでは、前記補正された動作情報に基づいて、前記生成されたＶＲ画像の動きを制御する。この場合、実際の若年層ユーザの動作は早い動作であるが、前記選択された老年層の身体機能情報から、動作が遅いという動作情報に補正されているため、前記生成されたＶＲ画像の動きは、実際のユーザの動作とは異なり、遅い動作に制御される。
【０１１５】
そして、前記Ａ６ステップでは、前記制御されたＶＲ画像が表示される。つまり、実際のユーザの動作とは異なり、身体のＶＲ画像が遅い動きで表示される。
【０１１６】
このように、本発明のＶＲ画像表示システムによれば、例えば、実際のユーザが若年層であり、実際には機敏な動作を行っていても、仮想空間に表示されるＶＲ画像は、ユーザ自身が体感している動きとは異なり、鈍重な動きである。このため、ユーザは、自分とは異なる属性の身体機能を有する人の動きを、仮想空間において、疑似体験することができる。
【０１１７】
本発明のＶＲ画像表示システムは、このように、ユーザが、ユーザとは異なる属性の感覚に基づいて仮想空間を疑似体験が可能であることから、例えば、バリアフリー等の建築物の構造チェック等に使用することができる。
【０１１８】
老人、身体障害者、幼児等に対する安全性の確保から、バリアフリー設計が重要となっている。しかし、設計に基づいて建築した場合には、対象者と設計者との間で身体機能が異なることから、実際に対象者にとって適しているか否かを判断しにくい場合がある。このような場合、本発明のＶＲ画像表示システムにおいて、設計したバリアフリーの部屋を仮想空間として表示し、対象者（例えば、老人）が該当する属性を選択し、ユーザが、自分とは異なる対象者の属性の身体機能により、前記仮想空間に対して動作を行うことによって、設計が適切か否かを確認することができる。例えば、バリアフリーの条件を満たすとして設計された段差に対して、ユーザ自身は、自身の身体機能に基づき、段差を超えることができると思われる足上げの動作を行う。しかしながら、本発明のＶＲ画像表示システムでは、実際の動作情報が、属性の身体機能情報に基づいて補正されているため、生成された足のＶＲ画像は、実際の足上げの高さには満たない状態で表示され、段差を越えることができない。段差を超えるために、ユーザは、さらに足を上げる必要があり、段差を越えるために、結果的に、段差を越えるための現実世界での負荷よりも大きな負荷がかかることになる。この疑似体験から、設計した段差が、ユーザ自身が感じるよりも、対象者にとっては、より大きな身体的負担を伴う段差であることを理解することができ、よりよいバリアフリー設計につなげることができる。また、実際に建築するに先立って、疑似体験による具体的なチェックを行うことができるため、施工後の変更や修理等を減らすこともできる。
【０１１９】
前記建築物としては、例えば、住居、オフィス、店舗、工場、研究所、駅、空港、ホテル等の宿泊施設等があげられる。また、チェックする対象としては、例えば、バリアフリーのほかに、動線等もあげられる。
【０１２０】
例えば、前記属性を「老人」、前記属性の身体機能情報を「手の動きが遅いという機能情報」とする場合が例示できる。この場合、ユーザが若年層であると、実際には機敏に手を動かしているにもかかわらず、仮想空間においては、実際の動きとは異なり、手がゆっくりとしか動かないという画像表示となる。このため、ユーザは、違和感を覚える。これに対して、ユーザが、実際の動きをゆっくりとして、仮想空間におけるＶＲ画像の動きに追従させれば、ユーザは、その違和感を解消することができる。このように、仮想空間における画像により、ユーザに違和感を覚えさせ、さらに、実際の動きを仮想空間での動きに合わせて、その違和感を解消することにより、選択した属性の感覚を疑似体験することができる。
【０１２１】
例えば、前記属性を「子供」、前記属性の身体画像情報を「小さい手の画像情報」、前記属性の身体機能情報を「手が小さいために物がつかみにくいという機能情報」とする場合が例示できる。この場合、ユーザが大人であると、実際には容易に物をつかめるにもかかわらず、仮想空間においては、物をうまくつかむことができないという状態を、疑似体験することができる。
【０１２２】
例えば、前記属性を「骨折した人」、前記属性の身体画像情報を「骨折のため片足にギブスがついている足の画像情報」、前記属性の身体機能情報を「骨折した足が踏み出しにくいという機能情報」とする場合が例示できる。この場合、ユーザが健常者であると、実際には容易に両脚を踏み出すことができるにもかかわらず、仮想空間においては、片足が踏み出すことができないという状態を、疑似体験することができる。
【０１２３】
本発明のＶＲ画像表示システムは、例えば、さらに、アラート出力手段を備えてもよい。前記アラート出力手段は、例えば、ユーザの実際の動きと、仮想空間におけるＶＲ画像の動きとが一致しない場合、アラートを出力することができる。これによって、ユーザに、より違和感を認識させることができる。前記アラートは、例えば、音でもよいし、前記表示手段におけるエフェクトでもよい。
【０１２４】
［実施形態４］
実施形態４は、前記実施形態１〜３のそれぞれに対する変形例であり、さらに、音声出力手段を有する本発明の表示システムおよび音声出力工程を有する表示方法に関する。本実施形態の表示システムおよび表示方法は、例えば、実施形態１〜３の表示システムおよび表示方法の説明を援用できる。
【０１２５】
前記音声出力手段は、前記選択された属性の聴力情報に基づいて、音声を出力する手段である。前記音声出力手段は、例えば、前記感知手段および前記表示手段と同様に、前記端末に搭載されている。前記音声出力工程は、前記選択された属性の聴力情報に基づいて、音声を出力する工程である。
【０１２６】
このように、前記音声出力手段または前記音声出力工程を有することによって、さらに、実際のユーザの聴力ではなく、前記選択した属性の聴力情報に基づいて、音声が出力されるため、視覚だけでなく聴覚においても、ユーザとは異なる属性の身体機能に基づいた疑似体験が可能となる。
【０１２７】
［実施形態５］
本発明のＶＲ画像表示システムおよびＶＲ画像表示方法は、例えば、以下に示すような形態も適用できる。
【０１２８】
（１）ペルソナ化
（１−１）人体寸法データベースを有し、その体格を再現して、シミュレーションできる。
・  さらに、年齢層を入力することで、前記年齢層に該当する人の平均、または上位９５％、下位９５％等の体格で、シミュレーションする。これにより、人間工学的に問題ないか、効率的に確認できる。
・  日本人等の人種における一般的な体格の条件ではなく、現場の作業者をベースに検討したい場合は、例えば、Ｋｉｎｅｃｔ（登録商標）等で収集した人体寸法データを蓄積し、平均、上位９５％、下位９５％を、現場の作業者を想定して設定できる。
【０１２９】
（１−２）妊婦体験ができる。
・  視界の下の方に死角が増える等の視覚的フィードバック
・  動作範囲の欠損を反映した手の表示
例えば、お腹が邪魔で手が届かない。
・  お腹への衝突の見える化
例えば、お腹が出ていることを忘れて、前に進み、机にお腹があたる。
例えば、向いから来る人とすれ違う際、避けようとして横を向いたら、お腹が出ているため、ぶつかった。
【０１３０】
（１−３） 視野欠損体験ができる
・  一部視野が欠損している人の体験ができる
【０１３１】
（１−４）片耳難聴体験ができる
【０１３２】
（１−５）前述のペルソナ体験の比較
・  ノーマルと片耳難聴体験等の両方を実施し、指定ステップごとの時間、移動、顔の動き（どちらから音がしたかを悩む顔の動き）、手の運動量等を、表等で比較表示する。
・  時間、顔や手の運動量等の差異が大きいステップについては、表の色を変えたり、アイコン表示する等で目立つように表示する。
【０１３３】
（１−６）ペルソナシミュレーション
・  普通に作業した後、その作業に対して、様々なペルソナ（例えば、視覚特性、聴覚特性、運動特性、妊婦、オスメイト、車いす、肢体欠損、子供等）が、同じようにはできない行為（例えば、背が小さくて手が届かない、車いすで階段を登れない、コントラスト不足でボタンの文字が読めない等）を表示することで、健常者以外の不便に気づけるようにする。その結果、ＵＤ設計が可能となる。
【０１３４】
（２）属性の身体機能情報
（２−１）知覚
・  視覚をぼやかせることで、白内症の方を理解
・  音をぼやかせることで、難聴の方を理解
・  視覚を欠損させることで、失明者の方を理解
・  音を欠損またはモノラルにすることで、重度の難聴者を理解
・  身長設定を変えたときに、前の身長設定では見えなかったものを目立つように表示する
・  子供の設定にしたときに、普段は聞こえなかった高い音を聞こえるようにする
【０１３５】
（２−２）認知
・  経験則を活用できなくする。
例えば、「トイレの看板を見て、男性用トイレに入る」というタスクがあったときに、トイレの性別のアイコンの色を変える。
・  色に対する文化的解釈が異なる人が、正しく性別を判断できるかテストできる。
例えば、キーボード配列等をあべこべにして、初めてパソコンやスマートフォンを触る人の気持ちになれる。
例えば、ユーザに見せる情報（例えば、看板、標識等）で、重要な情報を右から左に配置する。
【０１３６】
（２−３）記憶
・  強制的に忘れる状況を作り出す。
例えば、タスク達成に「マニュアルを読む」という作業があった場合に、認知症またはモノ忘れの多い人の再現モードでは、マニュアルを読むタスクをスキップさせることで、モノ忘れの多い人でも実施できるか（例えば、短期記憶に頼らない設計になっているか）を設計検証できる。
・  強制的に勘違いする状況をつくりだす。
例えば、タスク達成に「マニュアルを読む」という作業があった場合に、マニュアルの中身をすりかえる。
【０１３７】
（２−４）運動
・  片腕欠損や片手で荷物を持っている人を想定して、片手は認識しないようにする、または、荷物を持ち変える動作をして、初めて操作する手の左右切り替えができる。
・  手がプルプルしている人を想定して、ボタンを押す時等、思った位置から少しずれるようにする。手の表示もプルプルと揺れている。
【０１３８】
［実施形態６］
本実施形態のプログラムは、前述のＶＲ画像表示方法を、コンピュータ上で実行可能なプログラムである。本実施形態のプログラムは、例えば、コンピュータ読み取り可能な記録媒体に記録されてもよい。前記記録媒体としては、特に限定されず、例えば、ランダムアクセスメモリ（ＲＡＭ）、読み出し専用メモリ（ＲＯＭ）、ハードディスク（ＨＤ）、光ディスク、フロッピー（登録商標）ディスク（ＦＤ）等があげられる。
【０１３９】
以上、実施形態を参照して本発明を説明したが、本発明は、上記実施形態に限定されるものではない。本発明の構成や詳細には、本発明のスコープ内で当業者が理解しうる様々な変更をできる。
【０１４０】
この出願は、２０１６年６月１７日に出願された日本出願特願２０１６−１２１１０７を基礎とする優先権を主張し、その開示の全てをここに取り込む。
【産業上の利用可能性】
【０１４１】
本発明によれば、ユーザが、ユーザ自身とは異なる属性の感覚に基づいて仮想空間を疑似体験することが可能である。
【符号の説明】
【０１４２】
１        ＶＲ画像表示システム
１０      端末
１０１    感知手段
１０２    表示手段
２０      本体
１１      記憶手段
１２      データ処理手段
１２１    選択手段
１２２    補正手段
１２３    生成手段
１２４    制御手段
【図１】
0006760613.tif 000002
【図２】
0006760613.tif 000003